(57)【要約】      （修正有）【課題】ガードレールの連結部及びガードレール端部に使用するガードレール保護カバーに関する。【解決手段】左右上片２ｄ、２ｅを備えた上保護板２ａと左右下片２ｈ、２ｉを備えた下保護板２ｃを上下に連結し左右中片２ｆ、２ｇを備え周囲に凹み２ｊを備えた連結孔２ｋを穿設した上保護カバー２と、左右上片４ｄ、４ｅを備えた上保護板４ａと左右下片４ｈ、４ｉを備えた下保護板４ａを上下に連結し左右中片４ｆ、４ｇを備え周囲に凹み４ｊを備えた連結孔４ｋを穿設した下保護カバー４と、前記上保護カバー２の下保護板２ｃの下部と前記下保護カバー４の上保護板４ａの上部を連結する連結孔３ｂを穿設した略長方形状の中保護カバー３と、ボルト頭５ａと螺合部５ｂからなるボルトとワッシャ５ｃ及びナット５ｄからなる前記上下保護カバー２、４とガードレール６、７とを連結する固定具５とからなることを特徴とするガードレール保護カバー１である。【選択図】図１
2007002438.tif 000002
【特許請求の範囲】
【請求項１】
左右上片を備えた上保護板と左右下片を備えた下保護板を上下に連結し左右中片を備え周囲に凹みを備えた連結孔を穿設した上保護カバーと、左右上片を備えた上保護板と左右下片を備えた下保護板を上下に連結し左右中片を備え周囲に凹みを備えた連結孔を穿設した下保護カバーと、前記上保護カバーの下保護板の下部と前記下保護カバーの上保護板の上部を連結する凹みを備えた連結孔を穿設した略長方形状の中保護カバーと、ボルト頭と螺合部からなるボルトとワッシャ及びナットからなる前記上下保護カバーとガードレールとを連結する固定具とからなることを特徴とするガードレール保護カバー。
【請求項２】
上折曲部片を備えた上折曲部と下折曲部片を備えた下折曲部を上下に形成し折返し面を備え保護板上中下片を連結した周囲に凹みを備えた連結孔を穿設したことを特徴とする請求項１に記載のガードレール保護カバー。
【請求項３】
左右片を備えた上保護板本体からなる上保護カバーと、左右片を備えた下保護板本体からなる下保護カバーと、前記上下保護カバーを上下に連結し左右に左右上中下片を備えたことを特徴とする請求項１又は請求項２に記載のガードレール保護カバー。
【請求項４】
左右片を備えた上保護板本体からなる上保護カバーと、左右片を備えた下保護板本体からなる下保護カバーと、前記上下保護カバーを上下に連結し右上中下片及び左片を備えたことを特徴とする請求項１、請求項２又は請求項３に記載のガードレール保護カバー。
【請求項５】
左右上中下片に反射板を取り付けたことを特徴とする請求項１から請求項４に記載のガードレール保護カバー。
【請求項６】
外周面に溝を形成したワッシャからなる固定具とからなることを特徴とする請求項１から請求項５に記載のガードレール保護カバー。
【発明の詳細な説明】
【技術分野】
【０００１】
本発明は、ガードレールの連結部及びガードレール端部に使用するガードレール保護カバーに関する発明である。
【背景技術】
【０００２】
従来のガードレール連結部は約４ｍのガードレールの端部同士を重ね合わせてボルトで固定する方法がとられていた。また、ガードレールの始点及び終点では、袖用ガードレールの端部を約４ｍのガードレールの端部と重ね合わせてボルトで固定する方法がとられていた
【０００３】
しかしながら、従来のガードレール同士の連結部及びガードレールと袖用ガードレールの連結部には若干の隙間が存在し、車体がガードレールに接触した時にはこの隙間が一時的に拡大し、車体の一部を挟み込んで車体の鉄片をもぎ取ってしまうことがあった。もぎ取られた車体の鉄片はガードレールから鋭く突きだし、通行人に怪我をさせたり、車体に傷をつける危険なものであった。
【０００４】
また、ガードレール同士を連結するために用いられる固定具と、ガードレール表面との間にも僅かな隙間ができることがあり、ガードレール同士の連結部と同様に色々なものが挟まり易かった。
【特許文献１】特開平１０−１８３５４６号公報
【発明の開示】
【発明が解決しようとする課題】
【０００５】
そこで、本発明は、ガードレール同士の連結部及びガードレールと袖用ガードレールの連結部に存在する隙間を覆う複数の片を備えたことで、連結部の隙間を無くし、車体がガードレールに接触時に隙間が一時的に拡大する際にもガードレールの屈曲面に沿って片が移動し、常に隙間を覆うことができるガードレール保護カバーを提供することを目的とするものである。
【課題を解決するための手段】
【０００６】
本発明は、上記の課題を解決するために、左右上片２ｄ、２ｅを備えた上保護板２ａと左右下片２ｈ、２ｉを備えた下保護板２ｃを上下に連結し左右中片２ｆ、２ｇを備え周囲に凹み２ｊを備えた連結孔２ｋを穿設した上保護カバー２と、左右上片４ｄ、４ｅを備えた上保護板４ａと左右下片４ｈ、４ｉを備えた下保護板４ａを上下に連結し左右中片４ｆ、４ｇを備え周囲に凹み４ｊを備えた連結孔４ｋを穿設した下保護カバー４と、前記上保護カバー２の下保護板２ｃの下部と前記下保護カバー４の上保護板４ａの上部を連結する連結孔３ｂを穿設した略長方形状の中保護カバー３と、ボルト頭５ａと螺合部５ｂからなるボルトとワッシャ５ｃ及びナット５ｄからなる前記上下保護カバー２、４とガードレール６、７とを連結する固定具５とからなることを特徴とするガードレール保護カバー１の構成とした。
【発明の効果】
【０００７】
本発明のガードレール保護カバーはガードレール同士の連結部及びガードレールと袖用ガードレールの連結部に存在する隙間を覆うことができるため、いたずら目的や偶然に挟まれてしまった鉄片など凶器と化するものを隙間に挟み込むことができないため、通行者や通行車輌が安心して通行できる。
【０００８】
また、事故などにより車体がガードレールに接触する際に前記隙間は一時的に拡大するが、ガードレール保護カバーに複数設けられた片が屈曲するガードレールに沿って変形するため常に隙間を覆うことができるため、車体の衝突の際に拡大した隙間に車体に一部が挟まる心配がなく、当然ガードレールによる車体からの鉄片のもぎ取りの心配がない。
【０００９】
更に、既に設置されているガードレール及び袖用ガードレールを取り外すことなく、各連結面に容易に取り付けることができるため、設置コストが低く経済的である。
【００１０】
その上、ガードレールに設置する際の固定具の出っ張りを無くし、固定具とガードレール表面との間にできやすい僅かな隙間を隠したため、固定具とガードレールとの間にできる隙間にものが挟まることがない。
【発明を実施するための最良の形態】
【００１１】
様々なものを挟み込んでしまうガードレール連結部の隙間を覆い、通行者や通行車輌が安全に通行できるガードレールにするという目的を、複数の片を備えたガードレール保護カバーとすることによって実現した。
【実施例１】
【００１２】
図１は本発明であるガードレール保護カバーの斜視図、図２はガードレール保護カバーの正面図、図３はガードレール保護カバーの背面図、図４はガードレール保護カバーの平面図、図５はガードレール保護カバーの右側面図、図６はガードレール保護カバーのＡ−Ａ線に沿った断面図、図７はガードレール保護カバーの一部拡大断面図である。
【００１３】
図１に示すように、本発明であるガードレール保護カバー１はガードレール６、７同士の連結部に使用するカバーで、上保護カバー２と、中保護カバー３と、下保護カバー４及びガードレール６、７へ連結するための固定具５とからなる。
【００１４】
図１から図３に示すように、前記ガードレール保護カバー１の上保護カバー２は、略長方形状の上保護板２ａと、前記上保護板２ａの下部に連結された同じく略長方形状の中保護板２ｂと、前記中保護板２ｂの下部に連結された同じく略長方形状の下保護板２ｃとからなり、前記中保護板２ｂには２つの連結孔２ｋ、２ｋが穿設され、更に前記連結孔２ｋ、２ｋの周囲は一段低くなった凹み２ｊ、２ｊが施されている。
【００１５】
前記上保護板２ａの左部には左上片２ｄが連結され、右部には右上片２ｅが連結されている。前記左右上片２ｄ、２ｅは同形同大で上保護板２ａから奥側に向かって傾斜して設けられている。
【００１６】
前記中保護板２ｂの左部には左中片２ｆが連結され、右部には右中片２ｇが連結されている。前記左右中片２ｆ、２ｇは同形同大で中保護板２ｂから奥側に向かって傾斜して設けられている。
【００１７】
前記下保護板２ｃの左部には左下片２ｈが連結され、右部には右下片２ｉが連結されている。前記左右下片２ｈ、２ｉは同形同大で下保護板２ｃから奥側に向かって傾斜して設けられている。前記左上片２ｄと左中片２ｆ、左中片２ｆと左下片２ｈ、右上片２ｅと右中片２ｇ、右中片２ｇと右下片２ｉの間にはスリット２ｌが存在する。
【００１８】
前記中保護カバー３は２つの大きな連結孔３ｂ、３ｂを穿設した略長方形状の連結板３ａからなり、前記連結板３ａの上部は前記上保護カバー２の下保護板２ｃの下部と連結している。
【００１９】
前記下保護カバー４は、略長方形状の上保護板４ａと、前記上保護板４ａの下部に連結された同じく略長方形状の中保護板４ｂと、前記中保護板４ｂの下部に連結された同じく略長方形状の下保護板４ｃとからなり、前記中保護板４ｂには２つの連結孔４ｋ、４ｋが穿設され、更に前記連結孔４ｋ、４ｋの周囲は一段低くなった凹み４ｊ、４ｊが施されている。
【００２０】
前記上保護板４ａの左部には左上片４ｄが連結され、右部には右上片４ｅが連結されている。前記左右上片４ｄ、４ｅは同形同大で上保護板４ａから奥側に向かって傾斜して設けられている。
【００２１】
前記中保護板４ｂの左部には左中片４ｆが連結され、右部には右中片４ｇが連結されている。前記左右中片４ｆ、４ｇは同形同大で中保護板４ｂから奥側に向かって傾斜して設けられている。
【００２２】
前記下保護板４ａの左部には左下片４ｈが連結され、右部には右下片４ｉが連結されている。前記左右下片４ｈ、４ｉは同形同大で下保護板４ｃから奥側に向かって傾斜して設けられている。前記左上片４ｄと左中片４ｆ、左中片４ｆと左下片４ｈ、右上片４ｅと右中片４ｇ、右中片４ｇと右下片４ｉの間にはスリット４ｌが存在する。
【００２３】
図４に示したように、平面より見たとき前記上保護板２ａの左右に連結された左右上片２ｄ、２ｅは上保護板２ａから奥側に向かって傾斜するように取り付けられている。
【００２４】
図１及び図５に示したように、前記中保護板２ｂの上下に連結された上下保護板２ａ、２ｃは中保護板２ｂが最前面となるように中保護板２ｂから奥側に向かって傾斜して連結されている。
【００２５】
同様に中保護板４ｂの上下に連結された上下保護板４ａ、４ｃも中保護板４ｂが最前面となるように中保護板４ｂから奥側に向かって傾斜して連結されている。そして、最後部となる前記下保護板２ｃと上保護板４ａを中保護カバー３で連結しているためガードレール保護カバー１を側面より見ると略Ｍ字状に屈曲している。
【００２６】
図６及び図７に示すように、前記中保護板２ｂ、４ｂに穿設された連結孔２ｋ、４ｋの周囲は中保護板２ｂ、４ｂの表面から一段低く凹み２ｊ、４ｊが設けられており、前記連結孔２ｋ、４ｋに固定具５を挿入した際にボルト頭５ａは前記凹み２ｊ、４ｊの中に隠れる。これにより、従来固定具５とガードレールの間にできていた僅かな隙間を隠すことができ、隙間にものが挟まることがない。
【００２７】
図７に示すように、ガードレール６、７に穿設された連結孔６ａ、６ｂ、７ａ、７ｂとガードレール保護カバー１の上下保護カバー２、に穿設された連結孔２ｋ、４ｋの径は前記固定具５の螺合部５ｂの径よりも大きく、また中保護カバー３に穿設された連結孔３ｂの径は前記固定具５のボルト頭５ａの径よりも大きい。
【００２８】
即ち、固定具５により固定する際にガードレール保護カバー１から２枚のガードレール６、７に固定具５を挿入するのは容易であり、ガードレールの背面においてワッシャ５ｃを介してナット５ｄで固定具５を固定する。前記ワッシャ５ｃには締めつけ強度を増すためにスプリングワッシャ等を使用しても良い。
【００２９】
ガードレール６、７はブラケット８ａを介して支柱８に取り付けられており、取付の際に使用している固定具５のボルト頭５ａの径よりも前記中保護カバー３の連結孔３ｂの径の方が大きいため、ボルト頭５ａを邪魔にすることなくガードレール保護カバー１を取り付けることができる。これにより、本発明のガードレール保護カバー１を既に設置されているガードレールを取り外すことなく設置できる。
【実施例２】
【００３０】
図８は本発明であるガードレール保護カバーの第２実施例の正面図、図９はガードレール保護カバーの第２実施例の平面図、図１０はガードレール保護カバーの第２実施例の斜視図である。
【００３１】
ガードレール保護カバー１ａは、ガードレールを設置した後の始点及び終点に使用する保護カバーで、４つの連結孔９ｋを穿設し一端が折返し面９ｉとなっている保護板９ａと、前記保護板９ａの他端に連結された保護板上片９ｅ、保護板中片９ｆ、保護板下片９ｇ、上下折曲部片９ｄ、９ｈからなる本体９とからなる。
【００３２】
図８から図１０に示すように、前記保護板９ａの折返し面９ｉ以外の上部は上折曲部９ｂとして背面に向かって折り曲げられており、同じく折返し面９ｉ以外の下部もした折曲部９ｃとして背面に向かって折り曲げられている。この上下折曲部９ｂ、９ｃの一端に前記上下折曲部片９ｄ、９ｈが連結されている。尚、前記上下折曲部片９ｄ、９ｈは前記上下折曲部９ｂ、９ｃよりも更に背面に向かって折り曲げられている。
【００３３】
図１０に示すように、前記保護板９ａに穿設された連結孔９ｋ、９ｋ、９ｋ、９ｋの周囲には凹み９ｊが施されており、この凹み９ｊの径は固定具５のボルト頭５ａの径よりも大きい。そのため、固定具５を連結孔９ｋに挿入したときにはボルト頭５ａが凹み９ｊにはまり、固定具５と保護板９ａの間にできる僅かな隙間は隠れている。
【００３４】
前記保護板９ａの他端の中央に取り付けられた保護板中片９ｆは略台形状をしており、保護板９ａから背面に向かって傾斜して連結されている。前記保護板中片９ｆを上下から挟むように保護板９ａの他端に連結されている保護板上片９ｅ及び保護板下片９ｇは略長方形状をしており前記保護板中片９ｆと同様に保護板９ａから背面に向かって傾斜して連結されている。
【００３５】
図８に示すように、以上のような各片が傾斜して連結されているため、ガードレール保護カバー１ａは複数の凹凸のあるガードレール６にぴったりと連結することができ、ガードレール保護カバー１ａとガードレール６との連結部に隙間ができない。
【実施例３】
【００３６】
図１１は本発明であるガードレール保護カバーの第３実施例の斜視図、図１２はガードレール保護カバーの第３実施例の正面図、図１３はガードレール保護カバーの第３実施例のＢ−Ｂ線に沿った断面図である。
【００３７】
図１１に示すように、ガードレール保護カバー１ｂは、ガードレール６、７同士の連結部に使用するカバーで、左右に左片１０ｂ及び右片１０ｃを備えた上保護板本体１０ａからなる上保護カバー１０と、左側に左上中下片１１ｂ、１１ｄ、１１ｆを備え右側に右上中下片１1ｃ、１１ｅ、１１ｇを備え４つの連結孔１１ｉを穿設し前記上保護板本体１０ａの下部に連結された中保護板本体１１ａからなる中保護カバー１１と、左右に左片１２ｂ及び右片１２ｃを備え前記中保護板本体１１ａの下部に連結された下保護板本体１２ａからなる下保護カバー１２とからなる。
【００３８】
前記上保護板本体１０ａに連結された左右片１０ｂ、１０ｃは同形同大で、上保護板本体１０ａから背面に向かって傾斜して連結されている。また、前記中保護板本体１１ａに連結されている左右上中下片１１ｂ、１１ｃ、１１ｄ、１１ｅ、１１ｆ、１１ｇも中保護板本体１１ａから背面に向かって傾斜して連結されている。更に、前記下保護板本体１２ａに連結されている左右片１２ｂ、１２ｃも同形同大で、下保護板本体１２ａから背面に向かって傾斜して連結されている。
【００３９】
前記中保護板本体１１ａに連結されている左右上片１１ｂ、１１ｃは同形同大で略長方形状をしている。前記左右中片１１ｄ、１１ｅは同形同大であり略台形状をしている。前記左右下片１１ｆ、１１ｇは同形同大であり略長方形状をしている。
【００４０】
前記上下保護カバー本体１０ａ、１２ａは前記中保護板本体１１ａの上下部に連結されており、中保護板本体１１ａから背面に向かって傾斜して連結されている。即ち、中保護板本体１１ａが最前面にある。
【００４１】
図１２及び図１３に示すように、中保護板本体１１ａに穿設された４つの連結孔１１ｉの周囲は中保護板本体１１ａの表面から一段低くなった凹み１１ｈとなっており、凹み１１ｈの中央に前記連結孔１１ｉが穿設されている。
【００４２】
前記凹み１１ｈの径は前記固定具５のボルト頭５ａの径よりも大きく、即ち固定具５により取り付けた際、ボルト頭５ａが凹み１１ｈ内に隠れる構造となっている。このため、ボルト頭５ａと中保護板本体１１ａとの間に僅かに存在する隙間を中保護板本体１１ａの表面より一段低い凹み１１ｈ内に隠すことができ、ものが引っ掛かることがない。
【実施例４】
【００４３】
図１４は本発明であるガードレール保護カバーの第４実施例の斜視図、図１５はガードレール保護カバーの第４実施例の正面図、図１６は本発明であるガードレール保護カバーの第４実施例のＣ−Ｃ線に沿った断面図である。
【００４４】
図１１に示すように、ガードレール保護カバー１ｃは、ガードレールの始点及び終点に使用される袖用ガードレール１３とガードレール７の連結部に使用するカバーで、左右に左片１０ｂ及び右片１０ｃを備えた上保護板本体１０ａからなる上保護カバー１０と、左側に左１１ｊを備え右側に右上中下片１1ｃ、１１ｅ、１１ｇを備え４つの連結孔１１ｉを穿設し前記上保護板本体１０ａの下部に連結された中保護板本体１１ａからなる中保護カバー１１と、左右に左片１２ｂ及び右片１２ｃを備え前記中保護板本体１１ａの下部に連結された下保護板本体１２ａからなる下保護カバー１２とからなる。
【００４５】
ガードレール保護カバー１ｃは、前記ガードレール保護カバー１ｂとほぼ同じ構造をしており、中保護カバー１１の構造が違っている。即ち、中保護カバー１１を構成する中保護板本体１１ａの左側には略長方形状をした一枚の左片１１ｊが連結されている。
【００４６】
一方右側は前記ガードレール保護カバー１ｂのと同様に略長方形状をした右上下片１１ｃ、１１ｇと略台形状をした右中片１１ｅが連結されている。前記左片１１ｊは中保護板本体１１ａから背面に向かって傾斜して連結されている。
【００４７】
前記中保護カバー１１の左片１１ｊの構造以外は、すべて前記ガードレール保護カバー１ｂと同じである。即ち、上保護カバー１０の左右片１０ｂ、１０ｃは上保護板本体１０ａから背面に向かって傾斜して連結され、下保護カバー１２の左右片１２ｂ、１２ｃも下保護板本体１２ａから背面に向かって傾斜して連結されている。更に、中保護板本体１１ａの上下に連結された上下保護板本体１０ａ、１２ａは中保護板本体１１ａから背面向かって連結されている。
【００４８】
また、図１５及び図１６に示すように、前記中保護板本体１１ａに穿設された連結孔１１ｉの周囲は中保護板本体１１ａの表面より一段低い凹み１１ｈとなっており、前記凹み１１ｈの中央に連結孔１１ｉが穿設されている。これにより固定具５を連結孔１１ｉに挿入したときボルト頭５ａが凹み１１ｈに入り込み、ボルト頭５ａと中保護板本体１１ａとの間に僅かにできる隙間を隠すことができる。
【実施例５】
【００４９】
図１７は本発明であるガードレール保護カバーの第５実施例の斜視図である。図１７に示すように、ガードレール保護カバー１ｄは、前記ガードレール保護カバー１ａの各片２ｄ、２ｅ、２ｆ、２ｇ、２ｈ、２ｉ、４ｄ、４ｅ、４ｆ、４ｇ、４ｈ、４ｉに反射板１４を取り付けたものである。
【００５０】
ガードレール保護カバー１ｄのように前記ガードレール保護カバー１ｂ、１ｃの各片に反射板１４を取り付けてもよいものとする。
【００５１】
図１８は本発明であるガードレール保護カバーのナットの斜視図、図１９はガードレール保護カバーのナットの断面図である。図１８及び図１９に示すように、前記ガードレール保護カバー１、１ａ、１ｂ、１ｃ、１ｄで使用するナット５ｄは外周に２つの溝を設けており、通常のレンチでは容易に外すことができないものを使用している。この構造のナット５ｄを使用することでいたずら防止をすることができる。尚、符号５ｆはナット５ｄの孔を示しており、ここに螺合部５ｂを螺合する。
【００５２】
前記ナット５ｄの形状は図１８及び図１９に示したものに限定してはおらず、通常の６角ナットでも良いが、いたずらにより容易に取り外せるナットより図１８、図１９に示すナット５ｄの他特殊な形状のナットを使用することが望ましい。
【図面の簡単な説明】
【００５３】
【図１】本発明であるガードレール保護カバーの斜視図である。
【図２】本発明であるガードレール保護カバーの正面図である。
【図３】本発明であるガードレール保護カバーの背面図である。
【図４】本発明であるガードレール保護カバーの平面図である。
【図５】本発明であるガードレール保護カバーの右側面図である。
【図６】本発明であるガードレール保護カバーのＡ−Ａ線に沿った断面図である。
【図７】本発明であるガードレール保護カバーの一部拡大断面図である。
【図８】本発明であるガードレール保護カバーの第２実施例の正面図である。
【図９】本発明であるガードレール保護カバーの第２実施例の平面図である。
【図１０】本発明であるガードレール保護カバーの第２実施例の斜視図である。
【図１１】本発明であるガードレール保護カバーの第３実施例の斜視図である。
【図１２】本発明であるガードレール保護カバーの第３実施例の正面図である。
【図１３】本発明であるガードレール保護カバーの第３実施例のＢ−Ｂ線に沿った断面図である。
【図１４】本発明であるガードレール保護カバーの第４実施例の斜視図である。
【図１５】本発明であるガードレール保護カバーの第４実施例の正面図である。
【図１６】本発明であるガードレール保護カバーの第４実施例のＣ−Ｃ線に沿った断面図である。
【図１７】本発明であるガードレール保護カバーの第５実施例の斜視図である。
【図１８】本発明であるガードレール保護カバーのナットの斜視図である。
【図１９】本発明であるガードレール保護カバーのナットの断面図である。
【符号の説明】
【００５４】
１      ガードレール保護カバー
１ａ    ガードレール保護カバー
１ｂ    ガードレール保護カバー
１ｃ    ガードレール保護カバー
１ｄ    ガードレール保護カバー
２      上保護カバー
２ａ    上保護板
２ｂ    中保護板
２ｃ    下保護板
２ｄ    左上片
２ｅ    右上片
２ｆ    左中片
２ｇ    右中片
２ｈ    左下片
２ｉ    右下片
２ｊ    凹み
２ｋ    連結孔
２ｌ    スリット
３      中保護カバー
３ａ    連結板
３ｂ    連結孔
４      下保護カバー
４ａ    上保護板
４ｂ    中保護板
４ｃ    下保護板
４ｄ    左上片
４ｅ    右上片
４ｆ    左中片
４ｇ    右中片
４ｈ    左下片
４ｉ    右下片
４ｊ    凹み
４ｋ    連結孔
４ｌ    スリット
５      固定具
５ａ    ボルト頭
５ｂ    螺合部
５ｃ    ワッシャ
５ｄ    ナット
５ｅ    溝
５ｆ    孔
６      ガードレール
６ａ    孔
６ｂ    孔
７      ガードレール
７ａ    孔
７ｂ    孔
８      支柱
９      本体
９ａ    保護板
９ｂ    上折曲部
９ｃ    下折曲部
９ｄ    上折曲部片
９ｅ    保護板上片
９ｆ    保護板中片
９ｇ    保護板下片
９ｈ    下折曲部片
９ｉ    折返し面
９ｊ    凹み
９ｋ    連結孔
１０    上保護カバー
１０ａ  上保護板本体
１０ｂ  左片
１０ｃ  右片
１１    中保護カバー
１１ａ  中保護板本体
１１ｂ  左上片
１１ｃ  右上片
１１ｄ  左中片
１１ｅ  右中片
１１ｆ  左下片
１１ｇ  右下片
１１ｈ  凹み
１１ｉ  連結孔
１１ｊ  左片
１２    下保護カバー
１２ａ  下保護板本体
１２ｂ  左片
１２ｃ  右片
１３    袖用ガードレール
１４    反射板
【図１】
2007002438.tif 000003
【図２】
2007002438.tif 000004
【図３】
2007002438.tif 000005
【図４】
2007002438.tif 000006
【図５】
2007002438.tif 000007
【図６】
2007002438.tif 000008
【図７】
2007002438.tif 000009
【図８】
2007002438.tif 000010
【図９】
2007002438.tif 000011
【図１０】
2007002438.tif 000012
【図１１】
2007002438.tif 000013
【図１２】
2007002438.tif 000014
【図１３】
2007002438.tif 000015
【図１４】
2007002438.tif 000016
【図１５】
2007002438.tif 000017
【図１６】
2007002438.tif 000018
【図１７】
2007002438.tif 000019
【図１８】
2007002438.tif 000020
【図１９】
2007002438.tif 000021